(57)【要約】      （修正有）【課題】一種類の樹脂材料で製造することができ、保持可能な被保持物の厚さの許容範囲も広いカードホルダを提供する。【解決手段】ホルダ部と支持部とを備え、ホルダ部は左右一対の側壁１３、１４間に溝１１ａが形成され、側壁から溝の軸方向に沿って平行に延びる複数の突起１９が鎧戸状に並べて配置され、各突起の先端１９ａが溝の幅方向中央まで延びるように形成され、溝内に被保持物が挿入されたときに左右の突起により被保持物が挟持される。ホルダ部と支持部の全体が単一樹脂材料からなり、ホルダ部の各突起１９には、側壁と接続する基端部分の下方にＶ字の切り込み１９ｂが形成されるとともに、先端１９ａ側が先細り形状となるようにする。【選択図】図５
0003206964.tif 000002
【実用新案登録請求の範囲】
【請求項１】
シート状の被保持物を挟持する樹脂製のホルダ部と、前記ホルダ部を支持する支持部とを備え、
前記ホルダ部は、左右一対の側壁間に溝が形成され、前記溝内に前記左右の側壁から前記溝の軸方向に沿って平行に延びる複数の突起が鎧戸状に並べて配置され、前記複数の突起はそれぞれの先端が前記溝の幅方向の中央まで延びるように形成され、
前記溝内に前記被保持物が挿入されたときに前記左右の突起により前記被保持物が挟持されるカードホルダであって、
前記ホルダ部および前記支持部の全体が単一樹脂材料からなり、
前記ホルダ部の各突起は、前記側壁と接続する基端部分の下方にＶ字の切り込みが形成されるとともに、先端側が先細りになるように形成され、
前記被保持物が挿入されて前記突起が下方に押圧されると、最初は基端部分のＶ字の切り込みの角度がなくなるまで基端部が下方へ変形することにより生じる反力で前記被保持物を圧接し、その後さらに押圧されると、前記突起の先端側が撓るように変形することにより生じる反力で前記被保持物を圧接するようにして前記被保持物を挟持するカードホルダ。
【請求項２】
前記ホルダ部の溝にはＶ字状の底部が形成される請求項１に記載のカードホルダ。
【請求項３】
前記支持部にはマグネットが圧入される取付穴が設けられている請求項１または請求項２に記載のカードホルダ。
【考案の詳細な説明】
【技術分野】
【０００１】
本考案は、ＰＯＰ広告等のシート状の被保持物（カード）を挟持するためのカードホルダに関し、具体的には、例えば商品売場において案内カードやプライスカード等を挟持してＰＯＰ表示を行うときに好適なカードホルダに関する。
【背景技術】
【０００２】
店舗等では、商品陳列棚の目立ちやすい位置に紙等で作られたＰＯＰ広告を表示させるために、商品陳列棚に取付可能なＰＯＰ表示用のカードホルダが用いられている。
このようなカードホルダは、商品陳列棚に固定するための支持部と、カードを挟持するためのホルダ部とを備えている。このうち支持部は、取付場所がスチール製品の場合には磁着可能であることを利用してマグネットを使用したものや、取付場所が陳列棚の落下防止枠の場合にはフックにより掛着するものが使用されている。
【０００３】
一方、ホルダ部はカードを板バネやクリップの付勢力で挟持するものが一般的である（特許文献１参照）。例えば、特許文献１では板バネを用いて挟持するカードホルダが開示されている。
すなわち、Ｕ字形状の樹脂製ＰＯＰ取付ベースに、別部品の金属製板バネをネジ止めして取付ベースの壁面と板バネとの間でＰＯＰ広告を挟持する実施例や、ベース全体を金属製板バネで構成し、板バネを折り曲げて両端部を中央で合わせた構造とし、合わせた部分を互いに付勢された状態にして、この間隙でカードを挟持する実施例とが開示されている。
クリップや板バネの付勢力を利用してカードを保持するカードホルダは、しっかりと保持することが可能なカードの板厚許容範囲が狭く、少しのショックやはずみで簡単に位置ずれし、抜け落ちてしまいやすい。通常、対応可能な板厚許容範囲は０．２〜０．５ｍｍ程度である。
【０００４】
これに対し、材料・加工・組立等のコストの観点、および、軽量化の観点等から、板バネやクリップにおけるスプリングのような金属部品を一切用いずに、挟持部分を含むホルダ部全体を合成樹脂だけで成形し、カードをしっかりと挟持することができるカードホルダが用いられている。
【０００５】
すなわち、ホルダ部全体を合成樹脂だけで成形したカードホルダとして、図７に示すように、左右一対の側壁２１、２２と底壁２３とで挟まれた空間に溝２４が形成され、この溝２４の内側に左右の側壁から溝２４の軸方向に沿って平行に延びる複数の突起２５、２６が鎧戸状に二段あるいは三段並べて配置され、これら突起２５、２６の先端が溝２４の幅方向の中央まで延びるように形成された構造を有するカードホルダ２０が使用されている。
【０００６】
このカードホルダ２０では、側壁２１、２２および底壁２３の壁部分に充分な強度を持たせるとともに、突起２５、２６部分にカードを挟持できる付勢力を与える必要がある。そのため、前者は硬質塩化ビニルで形成し、後者は軟質塩化ビニルで形成し、さらに突起２５、２６の断面形状については中央が太く両端が細くなる紡錘状をなすようにしてある。
【０００７】
突起部分の材料を変えるとともに、突起形状を紡錘状にしたことにより、カードを突起間に差し込んだときに、図８に示すように突起２５、２６が奥側に押し込まれるように変形した状態でカードＫが挿入されることで、元の状態に戻ろうとする反力が生じ、これがカードＫを押圧して挟持するための保持力として働くようになる。
【０００８】
そして、カードＫが挟持された状態で抜き取ろうとする力を加えると、突起２５、２６とカードＫとの接触面に摩擦が働き、カードＫの上昇とともに突起２５、２６が持ち上がるようになる。その結果、カードＫを挟んで両側の突起２５、２６どうしが互いに押圧する力がさらに大きく働き、カードＫが抜けにくく作用するようになっている。このような突起構造にすることにより、底壁２３が上になるように上下を逆に配置した場合でも、カードＫが抜け落ちることなく保持することができる。
【０００９】
また、この形状のカードホルダ２０は、溝２４の軸方向（長手方向）に二色押出成形するとともに、所定長さごとに切断加工することで連続製造することができるので、製造コストを抑えることができる。
なお、支持部については、マグネットで磁着するものは底壁２３の外側面にマグネットシートを貼着する。あるいは、押出成形時に図９に示すように片側の側壁２１にフック２７を同時に形成しておくことができる。
【先行技術文献】
【特許文献】
【００１０】
【特許文献１】特開２０１２−２２３２９０号公報
【考案の概要】
【考案が解決しようとする課題】
【００１１】
図７に示したような二種類の異なる材料を用いた二色押出成形によるカードホルダは、押出成形という製造方法の特質から製造コストが安価な反面、製造できる製品の形状は断面形状が長手方向に同一形状の製品に制限されることになる。また、押出成形の長手方向に沿って一定の長さごとに切断加工が行われるので、切断面は他の加工に比べて品質が劣り、面取り等の表面処理を行わなければ危険でもある。
【００１２】
また、支持部として、マグネットを装着する場合には上述したように平坦な底壁外面にマグネットシートを貼着することになる。マグネットシートは底壁に貼着するだけでよいという点で優れているが、磁力が弱いためスチール製の商品棚等への付着力は弱く、簡単に位置ずれしたり落下したりする。このようなマグネットシートに代えて、ネオジム磁石のように強力な磁石をカードホルダの底壁に固定してしっかりと固定しようとすると、貼着による底壁への固定では貼着面がすぐに剥がれてしまう。強力磁石をカードホルダに固定するには、磁石の形状に合わせた取付穴を支持部に形成し、これに圧入して固定する必要がある。このような取付穴を有するカードホルダを押出成形で加工するには形状的にも精度的にも困難であり、射出成形により成形する必要がある。
【００１３】
一方、強力磁石を用いるために射出成形で加工する場合、硬質塩化ビニルと軟質塩化ビニルとの二色成形を行うには二種類の金型を用いて加工を行うことが必要になるため装置が大型化して複雑になり、製造コストが上昇する。
【００１４】
そこで本考案は、押出成形を用いず、一種類（例えば硬質塩化ビニル）の樹脂材料での射出成形だけで製造でき、それでいてしっかりとカード（被保持物）を保持することができるとともに、従来の板バネやクリップによる保持構造よりも保持可能なカードの厚さの許容範囲を広くすることができるようにしたカードホルダを提供することを目的とする。
また、本考案は、壁部分と突起とを同一材料で形成する場合に、充分な強度を持たせるとともに、突起部分にカードを挟持できる付勢力を与えることを目的とする。
【課題を解決するための手段】
【００１５】
上記課題を解決するためになされた本考案のカードホルダは、シート状の被保持物を挟持する樹脂製のホルダ部と、前記ホルダ部を支持する支持部とを備え、前記ホルダ部は、左右一対の側壁間に溝が形成され、前記溝内に前記左右の側壁から前記溝の軸方向に沿って平行に延びる複数の突起が鎧戸状に並べて配置され、前記複数の突起はそれぞれの先端が前記溝の幅方向の中央まで延びるように形成され、前記溝内に前記被保持物が挿入されたときに前記左右の突起により前記被保持物が挟持されるカードホルダであって、前記ホルダ部および前記支持部の全体が単一樹脂材料からなり、前記ホルダ部の各突起は、前記側壁と接続する基端部分の下方にＶ字の切り込みが形成されるとともに、先端側が先細りになるように形成され、前記被保持物が挿入されて前記突起が下方に押圧されると、最初は基端部分のＶ字の切り込みの角度がなくなるまで基端部が下方へ変形することにより生じる反力で前記被保持物を圧接し、その後さらに押圧されると、前記突起の先端側が撓るように変形することにより生じる反力で前記被保持物を圧接して前記被保持物を挟持するようにしてある。
【考案の効果】
【００１６】
本考案のカードホルダによれば、支持部、および、突起を含むホルダ部全体が単一の樹脂材料で一体成形される。支持部やホルダ部の側壁には変形しにくい程度の強度を持たせる必要があるため、一種類の材料で形成しようとした場合は、突起部分にも支持部と同様の強度を有する単一材料で形成されることになり、突起が変形しにくくなる。そのため、ホルダ部の各突起は、側壁と接続する基端部分の下方にＶ字の切り込みが形成されるようにし、さらに先端側が先細り形状で形成されるようにする。
また、側壁と接続する基端部分の下方にＶ字の切り込みを形成したことにより、被保持物が挿入されたときに突起が下方へ変形しやすくすることができるようになり、変形した状態で元に戻そうとする反力が生じるようになる。そして、Ｖ字の切り込みの角度がなくなるまで基端部が下方に変形した後は、さらに被保持物に押圧されると突起の先端側が撓るように変形するとともに反力が生じる。このように、Ｖ字の切り込みと先細り形状による撓りやすさによって支持部および突起を含むホルダ部全体を単一材料にして、使用する樹脂材料が一種類だけであっても、しっかりと被保持物を保持することができ、また、保持可能な被保持物の厚さの許容範囲も板バネやクリップで保持するときよりも広いカードホルダとすることができる。
【００１７】
ここで、上記考案において、前記ホルダ部の溝にはＶ字状の底部が形成されるようにしてもよい。
これにより、底部が下になるようにして使用する場合に、被保持物を（左右突起と底との三点で）定位置に安定して支持することができる。また、複数枚の被保持物を安定して支持することができる。
【００１８】
また、上記考案において、前記支持部にはマグネットが圧入される取付穴が設けられるようにしてもよい。
圧入により強力磁石であっても確実に固定することが可能になる。
【図面の簡単な説明】
【００１９】
【図１】本考案の一実施例であるカードホルダを斜め上方から見た斜視図。
【図２】図１に示すカードホルダを斜め下方から見た斜視図。
【図３】図１に示すカードホルダの平面図。
【図４】図１に示すカードホルダの底面図。
【図５】図３および図４に示すＡ−Ａ’断面図。
【図６】図５同様のＢ−Ｂ’断面図。
【図７】従来のカードホルダを示す斜視図。
【図８】図７のカードホルダにカードを挿入した状態を示す斜視図。
【図９】従来のカードホルダの他の一例を示す斜視図。
【考案を実施するための形態】
【００２０】
以下、本考案の実施形態について図面を用いて説明する。なお、本考案は、以下に説明するような実施形態に限定されるものではなく、本考案の趣旨を逸脱しない範囲で種々の態様が含まれる。
【００２１】
図１は本考案に係るカードホルダの一実施例を斜め上方から見た斜視図であり、図２は斜め下方から見た斜視図である。また、図３は平面図、図４は底面図であって、図５はＡ−Ａ’断面図であり、図６はＢ−Ｂ’断面図である。
【００２２】
カードホルダ１０は、ホルダ部１１と、これを支持するための支持部１２とからなる。ホルダ部１１と支持部１２とは、一種類の合成樹脂材料、具体的には硬質塩化ビニルを用いて射出成形により一体成形としてある。
【００２３】
ホルダ部１１は、左右の側壁１３、１４と、厚い底壁１５とからなり、これらで挟まれた空間に溝１１ａが形成されている。
支持部１２は、底壁１５の下方中央に円盤状の磁石が圧入可能な円形の取付穴１６ａを有する磁石取付部１６が設けてあり、ここにネオジム磁石が圧入されるようにしてある（図では磁石を省略した）。また、磁石取付部１６から底壁１５の前端と後端のそれぞれにＴ字状の突壁１７、１８が延設してある。
なお、支持部１２とホルダ部１１の底壁１５とは一体的につながっている。
【００２４】
ホルダ部１１の左側壁１３には、溝１１ａの軸方向に沿って平行に延びる三本の突起１９が鎧戸状に並べて形成され、各突起１９の先端１９ａが溝１１ａのほぼ中央まで届く長さにしてある。右側壁１４にも同様の突起１９が二本平行に並べて形成されており、左右の突起１９は上下方向において交互に配置してある。
各突起１９は、左右側壁１３、１４と接続する基端部分の下側にＶ字の切り込み１９ｂが形成されるとともに、先端１９ａ側が先細り形状となるように形成してある。
【００２５】
溝１１ａの内側下部には、溝１１ａの軸方向に沿ってＶ字状の底部１１ｂが形成されるようにしてある。図１、５に示すように、このＶ字状の底部１１ｂは、ホルダ部１１を上にした状態で上方からカード（被保持物）を挿入したときに底部１１ｂの底まで案内され、左右の突起１９、１９とＶ字状の底部１１ｂとの三点で当該カードに接するようにして安定して保持できるようにしてある。
【００２６】
次に、上記のカードホルダ１０の動作について説明する。カードを溝１１ａに差し込むと、カードは左右の突起１９に接し、これらを下側に向かって押圧する。突起１９はＶ字の切り込み１９ｂが充分に深く形成してあるので、簡単に下方へ変形するようになり、変形した状態で元に戻そうとする反力が生じるようになる。そして、Ｖ字の切り込み１９ｂの角度がなくなるまで基端部が下方に変形した後は、さらにカードに押圧されると突起１９の先端１９ａが撓るように変形するとともに反力が生じる。このようにＶ字の切り込み１９ｂと、先細り形状の先端１９ａによる撓りとによって、しっかりとカードを保持することができる。しかも突起１９の肉厚はあまり必要ないので、保持可能なカードの厚さの許容範囲も充分に広くすることができる。
【００２７】
また、カードを底部１１ｂまで挿入することで、左右の突起１９、１９と底部１１ｂとの三点で支持されるようになるため安定して保持することができる。
【００２８】
＜変形実施例＞
上述したカードホルダ１０ではネオジム磁石を固定用に用いたが、図９のフック２７と同様のものを設けるようにしてもよい。
【産業上の利用可能性】
【００２９】
本考案は、ＰＯＰ用のカード等を保持することが可能なカードホルダに利用できる。
【符号の説明】
【００３０】
１０  カードホルダ
１１  ホルダ部
１１ａ  溝
１１ｂ  Ｖ字状の底部
１２  支持部
１３、１４  側壁
１５  底壁
１６  磁石取付部
１７、１８  Ｔ字状突壁
１９  突起
１９ａ  先端
１９ｂ  切り込み
【図１】
0003206964.tif 000003
【図２】
0003206964.tif 000004
【図３】
0003206964.tif 000005
【図４】
0003206964.tif 000006
【図５】
0003206964.tif 000007
【図６】
0003206964.tif 000008
【図７】
0003206964.tif 000009
【図８】
0003206964.tif 000010
【図９】
0003206964.tif 000011